(57)【特許請求の範囲】
【請求項１】
正面部、背面部、左側面部、右側面部、平面部、底面部のすべての面が長方形あるいは長方形と正方形で構成される六面体で、隣接する面がほぼ直角に交わる直方体の紙質箱体であって、前記平面部にシート取出し口が形成されてなるシート用収納箱において、
前記正面部と前記背面部と前記左右両側面部の４面には、それらと前記底面部とが交わる各辺から設計上予定された底上げ高の１／２の高さ位置に底上げ用折り込み線を設けるとともに、前記底面部の角隅で、たて、横、高さの辺が交わる４つの頂点からなる立体角隅部分のそれぞれに、前記底上げ用折り込み線の高さ位置まで前記立体角隅部分を容易に押し込み反転できるようにする反転用補助線を設け、
前記反転用補助線は、当該反転用補助線を構成する折り込み線および切り込み線からなり、
前記反転用補助線を構成する前記折り込み線に沿った折り込みおよび前記切り込み線に沿った切り離しによって、前記立体角隅部分において隣接する前記面がほぼ直角に交わる構造が破壊され、
底上げ後の前記底面部の各辺は、前記正面部と前記背面部と前記左右両側面部の４面から切り離されることなく、当該４面の何れかの面に接続された状態を維持することを特徴とする底上げ可能なシート用収納箱。
【請求項２】
正面部、背面部、左側面部、右側面部、平面部、底面部のすべての面が長方形あるいは長方形と正方形で構成される六面体で、隣接する面がほぼ直角に交わる直方体の紙質箱体であって、前記平面部にシート取出し口が形成されてなるシート用収納箱において、
前記正面部と前記背面部と前記左右両側面部の４面には、それらと前記底面部とが交わる各辺から設計上予定された底上げ高の１／２の高さ位置に底上げ用折り込み線を設けるとともに、前記底面部の角隅で、たて、横、高さの辺が交わる４つの頂点からなる立体角隅部分のそれぞれに、前記底上げ用折り込み線の高さ位置まで前記立体角隅部分を容易に押し込み反転できるようにした反転用補助線を設け、前記反転用補助線は、当該反転用補助線を構成する折り込み線および切り込み線からなり、前記反転用補助線を構成する前記折り込み線に沿った折り込みおよび前記切り込み線に沿った切り離しによって、前記立体角隅部分において隣接する前記面がほぼ直角に交わる構造が破壊され、底上げ後の前記底面部の各辺は、前記正面部と前記背面部と前記左右両側面部の４面から切り離されることなく、当該４面の何れかの面に接続された状態を維持することを特徴とする底上げ可能なシート用収納箱の底上げ方法であって、前記紙質箱体内にシート類を充填するように収納して、前記シート取出し口から収納した前記シート類が順次取り出せるようにしておき、
前記紙質箱体内に収容されている前記シート類が減少した際、前記立体角隅部分を前記反転用補助線を利用して押し込み反転させたうえ、
前記正面部と前記背面部と前記左右両側面部の下部を前記底上げ用折り込み線にそって前記紙質箱体の内側に折込むことにより、前記紙質箱体の高さを低く変化させるとともに、
前記底面部の周辺を山折から谷折に反転させながら前記底面部を前記紙質箱体内に押し込むことにより前記底面部が折り込んだ分だけ凹んで底上げした状態に変形させることができるようにしたことを特徴とする底上げ可能なシート用収納箱の底上げ方法。
【発明の詳細な説明】
【技術分野】
【０００１】
本発明は、ティシュペーパー、ウエットティシュ、ちり紙、メモ用紙、キッチンペーパー、紙ナプキン、油取紙、ポリ袋などの薄手のシート類を箱体内に収納しておき、容易に取り出しできるように構成されているシート用収納箱について、その収容されているシート類が少なくなっても順次そのシート類を取り出すのに支障がないように収納箱を変形し、底上げ状態にすることができるシート用収納箱に関する。
【背景技術】
【０００２】
従来より、ティシュペーパー等のシート類を紙製または同質資材で製造された箱体内に収納し、取り出し口から連続的に容易に取り出すことのできるシート類の収納箱入り商品が種々開発され、製造販売されている。これら商品化されているシート用収納箱の高さは、３〜１２ｃｍまで多種多様である。そのうちシート用収納箱の高さが比較的低い（３〜６ｃｍ）場合には、開封直後から当該シート類を使い終わるまで、指先がとどくので、シート類の取り出し易さはほとんど変わらない。しかし、シート用収納箱の高さが大きく（６ｃｍ以上）なると、使用により収納されているシート類の量が少なくなったとき、上方に設けた取り出し口から箱体内のシート類までの距離が大きくなって指先がとどかなくなり、シート類を取り出すのが困難になる。また、例えばティシュペーパーの場合には、連続的にポップアップ式で連続的に取り出せるように折りたたみ方が工夫されているが、ティシュペーパーの量が少なくなると、折りたたみ方の工夫だけでは対応できなくなり連続的なポップアップができなくなったり、ティシュペーパーがよれたり偏ったりして取り出しにくくなったりする。
【０００３】
このため、従来より各方面で、このような課題を解決すべくいろいろの工夫がなされてきている。例えば、
【０００４】
イ）二重底方式
実開平５−７１１８２号公報には、ティシュペーパーの箱の底の底面よりやや小さめの厚紙の上にティシュペーパーを置いたものを箱に収めるとともに、Ｕ字を横にした形のミシン目をティシュペーパーの箱の正面と背面に各２カ、計４ヵ所入れるように構成されたティシュペーパーの箱が記載されている。これは、二重底にし、収納されている厚紙を上げ底状態にして、その上げ底状態をミシン目を内側に折り込んで係止させるようにしたものである。このような二重底方式の考案は、ほぼ底面の全面を底上げができるので安定しているが、底面よりやや小さめの厚紙という余分の材料を必要とするのでコスト高となる欠点がある。
【０００５】
ロ）底面の起立片方式
特開平１１−２４５９７７号公報には、切込み支柱片と連動して、この切込み支柱片と凸状を構成する係止片、或いは、もう一方の支柱片を箱の内部底面に着けるようにしたティシュペーパー入り上げ底箱が記載されている。
【０００６】
実開平７−１５５８０号公報には、立板を２枚立ち上げこれを止板で固定する方式のティシュペーパーボックスの上げ底が記載されている。本考案の特徴は、頂上線を二本線にしたもので、組み立てが簡単で安定している効果があると記載されている。
【０００７】
実開平８−１５７８号公報には、立板と固定板を組み立てて、略十字形の上げ底をつくる構造の、ティシュペーパーの上げ底が記載されている。
【０００８】
上記先行文献には箱の底面に起立片を立ち上げてティシュペーパーの一部を取り出し口近くに持ち上げる方式の発明、考案である。これらはいずれも組み立てが簡単であるが、上げ底により持ち上げ支持されるのはティシュペーパーの一部だけでその面積が低いため、取り出し易さを具現する範囲が狭く、取り出しにくい範囲も生じるため、使用態様が限定されその実用性があまり高くない。特に、当該箱を移動させたり、振動させたり、縦向きにしたり、投げ出したりとき、ティシュペーパーが持ち上げる所定の位置から外れて偏ったり持ち上がらなかったりして取り出しにくくなる可能性がある。更に、当該上げ底の構造があまり丈夫ではないという欠点もある。
【０００９】
ハ）底面部の切り離し部分押し上方式
特開平１０−１６７３５４号公報には、第１発明として、底面部の適宜位置に折り曲げ線を設定し、その両端から切り離し線を延設し、それらの先を折り曲げ線から適宜離れた地点で繋いで上げ底を形成し、上げ底における折り曲げ線に対向した先端部付近に一方の係合部を設け、その係合部から適宜離れた位置にくびれ部を形成し、それによって必然的に形成される張り出し部に他方の係合部を設け、被収容物品が少なくなったとき、切り離し線を押し離し、両方の係合部を係合することによって上げ底となし、被収容物品の取り出しを容易にしたことを特徴とするティッシュペーパー等の容器が記載されている。
【００１０】
また同文献には、第２発明として底面部に適宜間隔のもとに２本の切り離し線を設け、それらに連続して正面部及び背面部にも、その高さの２分の１未満のもとに切り離し線を設けて上げ底部を形成し、被収容物が残り少なくなったとき、上げ底部を押して上げ底状となし、被収容物の取り出しを容易にしたことを特徴とするティッシュペーパー等の容器が記載されている。
【００１１】
当該第１発明、第２発明は、簡単な操作で面積の比較的広い一種の上げ底状態にできる長所があるが、底部に大きな開口部分ができて、収納物にごみが入ったり汚れたりし易い欠点がある。また、当該第１発明、第２発明は、単に上げ底部を押すだけで上げ底状となしているので、上方から紙を取り出そうとする際、少しでも押圧力が加わると上げ底は、すぐに押し下げられて元にもどろうとするため取出し易さという機能を充分に発揮できない難点があった。
【００１２】
二）箱体の変形方式
特開２００７−７６６６０号公報には、厚紙１枚を折り曲げ、接着剤で貼り付けて形成されたペーパーボックスで、内部にティッシュペーパーを収納しえるように形成し、ティッシュペーパー残量が少なくなった時点で、ペーパーボックス下部をミシン目及びプレス折り目により折り曲げることにより上げ底を可能にしたペーパーボックスで、折り曲げることにより、残量目安とし、又、折り曲げることにより上げ底周囲にティッシュペーパーポケットを構成しうるペーパーボックスであり、尚且つ上面にティッシュペーパー取り出し用開口孔を設けたペーパーボックスが記載されている。
【００１３】
実開平７−９７８３号公報には、上面壁にペーパー取り出し口が形成され、正面壁及び背面壁が横長矩形に形成された横長立方体のティッシュペーパー用紙箱において、前記正面壁と背面壁に、正面形状が凸形で、その頂部が底面壁からの高さが正面壁の高さの略１／３となる位置をとおり、その左右が正面及び背面の下隅角部に至る若しくは左右の延長が下隅角を通る計上の谷折目を一本または複数本形成し、収容ペーパー量が半分程度に減少した際に、底面壁を上面とした状態で、前記谷折り目を基準として紙箱内へ凹ませ、正面から見て底面壁を略アーチ形に変形させるようにしたことを特徴とするティッシュペーパー用紙箱、が記載されている。
【００１４】
両先行技術文献には、収容されているシート類の量が少なくなったとき、箱体を変形させることにより、上げ底状態にして収納されているティッシュペーパーを持ち上げ、ペーパーの取り出しに支障が生じないようにするものである。しかし、この方法は、せっかくの横長立方体で美しい紙箱の下部を凹ませるように変形するものであり、これが箱の一部を潰したような印象を与えるため、外観的に商品価値が低下する欠点があった。
【００１５】
【特許文献１】実開平５−７１１８２号公報
【特許文献２】特開平１１−２４５９７７号公報
【特許文献３】実開平７−１５５８０号公報
【特許文献４】実開平８−１５７８号公報
【特許文献５】特開平１０−１６７３５４号公報
【特許文献６】特開２００７−７６６６０号公報
【特許文献７】実開平７−９７８３号公報
【００１６】
叙上のように、ティシュペーパー等のシート類が箱体内に収納され、上部の取り出し口から容易に取り出すことのできるシート類収納箱において、収納されているシート類１６が少なくなったとき取出し難くなるという技術課題を解決するために上げ底にする方法が多方面で開発されているが、いずれも満足できるものがなかった。
【発明の開示】
【発明が解決しようとする課題】
【００１７】
本発明者は、上記の技術的課題を解消し、より満足できるものを提供するため、研究した結果、開発に成功したのが本発明である。
近年の生活環境の向上に伴って、収納するシート類の品質が高級化するとともに、その収納量も増加することが要請されるようになった。このように、シート類の収容量が増加してきて箱の容積が大きくなると、当初はシート類が取り出し口の近くにあって容易に取り出すことができたが、シート類が少なくなるにつれて、取り出し口との距離が遠くなるうえ、収納しているシート類が箱内の空間を遊び出したり、偏ったりして、取り出しにくくなるという難点が生ずる。このような技術的課題を解消するためには、箱体の底部を底上げして、取り出し口とシート類との位置と姿勢とを当初のような状態に戻すことが望ましい。そこで、シート収納箱の底上げをするに際して、まず第１に、当該底上げ作業が道具などを使わず簡単にできること、第２に、当該底上げは箱体底面部の一部ではなく、略底面部全体を上げ底状態にすること、第３に、その上げ底状態は、多様な使用態様に耐えて維持することができ安定的であること、第４に、シート収納箱は、リビングルーム、寝室、応接室、などで使用される場合他のインテリア家具との調和が要請されるため、外観の美しさを保っていること、第５に、他の材料が加わったり道具を使用することがなく余分な経済的負担が無いこと、などの条件を満足させることができる底上げ可能なシート用収納箱とその底上げ方法を提供せんとするものである。
【課題を解決するための手段】
【００１８】
特許を受けようとする第１発明は、正面部１、背面部３、左側面部７、右側面部８、平面部２、底面部４のすべての面が長方形あるいは長方形と正方形で構成される六面体で、隣接する面がほぼ直角に交わる直方体の紙質箱体１７であって、その平面部２にシート取出し口１８が形成されてなるシート用収納箱において、正面部１と背面部３と左右両側面部７、８の４面には、それらと底面部４とが交わる各辺から設計上予定された底上げ高の１／２の高さ位置に底上げ用折り込み線１５を設けるとともに、底面部４の角隅で、たて、横、高さの辺が交わる４つの頂点１９からなる立体角隅部分に、前記底上げ用折り込み線１５の高さ位置まで立体角隅部分を容易に押し込み反転できるようにする折り込み線３０ａおよび／または切り込み線３０ｂからなる反転用補助線３０を設けたことを特徴とする底上げ可能なシート用収納箱である。
【００１９】
当該第１発明は、直方体の紙質箱体１７に底上げ用折り込み線１５を設けるとともに、底面部４の各隅にある４つの頂点１９のある立体角隅部分に、前記底上げ用折り込み線１５の高さ位置まで立体角隅部分を容易に押し込み反転できるようにする折り込み線３０ａおよび／または切り込み線３０ｂからなる反転用補助線３０を設けたことを特徴とするものである。当該第１発明は、立体角隅部分に折り込み線３０ａおよび／または切り込み線３０ｂからなる反転用補助線３０を設けて、立体角隅部分を切除するのではなく、手作業により切り込み操作や折り込み操作をするだけで当該立体角隅部分を押し込み反転し易い状態にして、予定された底上げ高まで底上げする方式である。
【００２０】
ここに反転用補助線３０とは、立体角隅部分に折り込み線３０ａおよび／または切り込み線３０ｂを施すことにより構成されるものである。具体的には、例えば図９乃至図１２に示したように様々な態様が考えられる。その構成は、立体角隅部分を容易に押し込み反転できるように設計されたものであれば、当該反転用補助線３０は、折り込み線だけで構成されていてもよいし、切り込み線だけで構成されていても良いし、折り込み線と切り込み線の組み合わせ構成であっても良い。すなわち、立体角隅部分を容易に押し込み反転できるように設計されたものであれば、必ずしも図示実施態様に限らないこと勿論である。
【００２１】
特許を受けようとする第２発明は、第１発明に係る底上げ可能なシート用収納箱を用いて、底上げをする方法である。本発明は、シート用収納箱の立体角隅部分に、容易に押し込み反転できるようにした折り込み線３０ａおよび／または切り込み線３０ｂからなる反転用補助線３０を設けておく。そのうえで、当該反転用補助線３０を利用して、手作業で切り込み線３０ｂの部分を破いたり、折り込み線３０ａの部分を折り込んだりして、容易に押し込み反転できるようにしたうえ、立体角隅部分を押し込み反転させる。同時に、底上げ用折り込み線１５にそって紙質箱体１７の内側に折込むことにより、紙質箱体１７の高さを低く変化させる。更に、底面部４の周辺を反転させながら当該底面部４を紙質箱体１７内に押し込むようにする。このように簡単な作業をすることにより、紙質箱体１７の底面部４が折り込んだ分だけ凹んで底上げした状態に変形させるのである。
【００２２】
厚紙で製造された六面体で隣接する面がほぼ直角に交わる直方体の紙質箱体１７の場合、その頂点１９を中心に構成されている立体角隅部分は、周辺の壁面部分に比較して構造的に強度が大きく、押し込んだり反転したりすることが難しい。そのため、紙質箱体１７の底面部４を押し込み反転させて底上げ状態に変形させようとする際、底面部の４角隅にある立体角隅部分をどのようにして反転させるかが大きな技術的課題となる。この技術的課題を解消するため、当該第２発明は、立体角隅部分を切除するのではなく、反転用補助線３０の切り込み操作や折り込む操作により予備変形させることにより前記技術的課題を解消して、その後、予定された底上げ高まで底上げするようにしたことが特徴である。
【００２３】
ここに反転用補助線３０は、立体角隅部分に容易に押し込み反転できるような折り込み線３０ａおよび／または切り込み線３０ｂを施すことにより構成されるものである。その構成は具体的には、折り込み線だけで構成されていてもよいし、切り込み線だけで構成されていても良いし、折り込み線と切り込み線の組み合わせ構成である場合など様々な態様が考えられる。図９乃至図１１に示した実施例は、いずれも折り込み線と切り込み線の組み合わせ構成である。
【発明の効果】
【００２４】
本願発明は、このように簡単な手作業により、確実にシート用収納箱の高さを低くし、且つ底面部４の全面を上げ底状態に変形することが出来るものである。しかも、その上げ底状態は底面部４とその周辺を山折から谷折に反転するように変えながら当該底面部４を紙質箱体１７内に押し込まれており、その押し込み部分に反発力が生じて適度の圧力をもって折り込まれているので安定している。従って、シート用収納箱からシート類１６を取り出す際に、適度な圧力が負荷されても、その上げ底状態を維持することができる。
【００２５】
更に、本願発明におけるシート用収納箱の底上げは、いずれも底面部４の一部ではなく、ほぼ全面が底上げ状態となっているのが特徴である。その結果、少なくなったシート類１６の安定性がよく、取り出し口からシート類１６を順次取り出す機能が失われること無く確保されることになる。また、当該シート用収納箱を立て向きや横向きにして使用する場合でも、振動したり移動したりした場合でも収納されているシート類１６が偏ったり、折れ曲がったりして取出しにくくなることがない。即ち、多様な環境下で使用しても、常に使いやすいシート用収納箱を提供することが出来るものである。
【００２６】
しかも、シート用収納箱に、底上げ用折り込み線１５と反転用補助線３０を施しただけのシンプルな加工であるため、箱体のデザインや外観を損ねることがほとんどない。近年のシート用収納箱は、インテリアの一部としてそのデザインや意匠が商品価値として重要視される傾向にあるため、外観への細工は少ない方が好ましいとされているが、本願発明は、箱体への細工が少ないので、このような要請に充分対応していることになる。
【００２７】
更に、本願発明は、いずれも１枚の厚紙の展開図として設計することが出来、これを組み立てるだけで、底上げ可能なシート用収納箱を製造でき、他の材料や道具を必要としない。従って、従来のシート用収納箱と同じ作業と費用で容易に製造できるので経済的である。
【発明を実施するための最良の形態】
【００２８】
本願発明は、正面部１、背面部３、左側面部１ｃ、右側面部１ｄ、平面部２、底面部４のすべての面が長方形あるいは長方形と正方形で構成される六面体で、隣接する面がほぼ直角に交わる直方体の紙質箱体１７であって、その平面部２にシート取り出し口１８が形成されてなるシート用収納箱に図１に示したような細工を施したものである。
【００２９】
イ）紙質箱体１７の周辺側壁をなす正面部１と背面部３と左右両側面部７、８の４面には、それらと底面部４とが交わる辺から設計上予定された底上げ高の１／２の高さ位置に、底上げ用折り込み線１５を設けるようにする。
ロ）紙質箱体１７の底面部４の角隅で、たて、横、高さの辺が交わる４つの頂点１９から下方に立体角隅部が形成されているが、その立体角隅部分に前記底上げ用折り込み線１５の高さ位置までの錐体状に切除できる切り離し線１４を設ける。
【００３０】
本願発明は、上記のようなイ）底上げ用折り込み線１５とロ）切り離し線１４とを設けたことを特徴とする底上げ可能なシート用収納箱である。
尚、当該錐体状に切除できる切り離し線１４というのは、展開図にすると第４３発明から第７発明に記載されているような正方形、円形、または特定多角形のいずれであっても良い。
【実施例１】
【００３１】
以下、本発明に係る底上げ可能なシート用収納箱を図示実施例に基づいて説明する。
図１は、本願発明に係る底上げ可能なシート用収納箱を示す斜視図であり、図２は、図２は、底上げ可能なシート用収納箱に底上げ用折り込み線１５と切り離し線１４を施した状態を示す斜視図であり、図３は、底上げ可能なシート用収納箱を裏返して底面部とその周辺を底上げ用折り込み線１５に沿って山折から谷折に反転するように変えながら当該底面部を紙質箱体内に押し込んで上げ底状態にすることを示す斜視図であり、図４は、底上げ可能なシート用収納箱の高さを低く変化させ、且つ底上げした状態に変形させた姿を示す斜視図である。また、図５は、本願発明に係る底上げ可能なシート用収納箱の一実施例を示す展開図であり、図６、は、図７は、本願発明に係る底上げ可能なシート用収納箱の他実施例を示す展開図であり、図８は、図７に示す実施例の切り離し線を示す要部拡大の展開図である。図９は、本願発明に係る底上げ可能なシート用収納箱に設けた反転用補助線３０の一実施例であり、その（イ）は、シート用収納箱に反転用補助線３０を施した状態を示す要部説明図であり、（ロ）は、当該反転用補助線３０を予備加工した状態を示す要部説明図である。図１０、図１１、図１２は、本願発明に係る底上げ可能なシート用収納箱に設けた反転用補助線３０の他実施例であり、その（イ）は、シート用収納箱に反転用補助線３０を施した状態を示す要部説明図であり、（ロ）は、当該反転用補助線３０を予備加工した状態を示す要部説明図である。
【００３２】
本願発明は、図１、図２に示すように、正面部１、背面部３、左側面部１Ｃ、右側面部１Ｄ、平面部２、底面部４のすべての面が長方形あるいは長方形と正方形で構成される六面体で、隣接する面がほぼ直角に交わる直方体の紙質箱体１７であって、その平面部２に取り出し口２が形成されてなるシート用収納箱に、底上げ可能なように工夫を施したものである。その工夫とは、正面部１と背面部３と左右両側面部７、８の４面には、それらと底面部４とが交わる各辺から設計上予定された底上げ高の１／２の高さ位置に底上げ用折り込み線１５を設けるとともに、底面部４の角隅で、たて、横、高さの辺が交わる４つの頂点１９から前記底上げ用折り込み線１５の高さ位置まで錐体状に切除できる切り離し線１４を設けたことを特徴とする底上げ可能なシート用収納箱である。このシート用収納箱の中には、ティシュペーパー、ウエットティシュ、ちり紙、メモ用紙、キッチンペーパー、紙ナプキン、油取紙、ポリ袋のいずれかのシート類１６が積み重ねた状態で収納されている。尚、その収納方法は、シート類１６が順次に取り出されるように工夫されている場合が多い。
【００３３】
本願発明は、図１及び図２に示す通り、直方体である紙質箱体１７の構成面にプレス若しくはミシン目にて底上げ用折り込み線１５や切り離し線１４が施されただけである。その底上げ用折り込み線１５や切り離し線１４の細工は、目立つことがなく、デザインなどの外観を損なうことがない。また、その細工は、当該シート用収納箱をそのまま使用しても当初はその本来の機能に何の影響も与えることがないので、実用的である。
【００３４】
しかし、使用しているうちにシート類１６が少なくなってくると、取出しにくくなってくる。そのようになったら図３のように箱を裏返して、底面部の４つの頂点１９を含む立体角隅部分を切り離し線１４に沿って錐体状または三角錐状に切除する。そのうえで、前記正面部１と背面部３と左側面下部７Ｂと右側面下部８Ｂとを底上げ用折り込み線１５にそって紙質箱体１７の内側に折込むようにする。これによって、紙質箱体１の高さを低く変化させることが出来る。同時に前記底面部４の周辺を山折から谷折に変えながら当該底面部４を紙質箱体１７内に押し込むことにより紙質箱体１の底面部４が折り込んだ分だけ凹んで底上げした状態に変形させることができるのである。このように本発明に係るシート用収納箱を用いれば、簡単な手作業により底上げができるのである。図４は、このようにしてシート用収納箱の底上げ作業を終えた後、回転して元の姿勢に直して使用する状態を示す斜視図である。
【００３５】
図５乃至図７は、本願発明に係る底上げ可能なシート用収納箱の展開図である。即ち、本願発明に係る底上げ可能なシート用収納箱は、一枚の平面状の厚紙で展開図を裁断したうえ、これを組み立て、糊付けするだけで製造できるのである。
従って、本願発明の製造方法は、展開図の設計を変えるだけでよく、従来の製造方法と比較しても同様な設備と工程で簡単に製造できるので、余分な設備投資などの必要がなく、経済的である。
【００３６】
以下、本願発明の実施態様ごとに設計されたシート用紙質箱体の展開図を説明する。本願発明の基本的構造は、いずれも直方体の紙質箱体１７である。従って、正面部１、背面部３、左側面部７、右側面部８、平面部２、底面部４のすべての面が長方形あるいは長方形と正方形で構成される六面体で、隣接する面がほぼ直角に交わることが特徴となる。このような直方体の展開図は多数あるが、本願発明の場合には、シート類１６を充填・収納するという機能と、原料となる平面状の厚紙を出来るだけ無駄なく裁断したいとの意向と、基本的に箱体を形成してからシート類１６を充填してから閉めて糊付けをするという製造工程を考慮して、合理的な展開図を特定するものである。特に、その特徴とするところは、左側面部７と右側面部８を上下に分割している点である。
【００３７】
そこで、図示実施例で使用する共通の紙質箱体１７の基本的な構造の展開図を説明する。図示実施例は、たて辺の長さ（２４５ｍｍ）が共通する長方形の正面部１（２４５×１０５ｍｍ）、平面部２（２４５×１１５ｍｍ）、背面部３（２４５×１０５ｍｍ）、底面部（２４５×１１５ｍｍ）４を、たて辺方向に折り込み線を介して順次列設しており、当該正面部１の左右両横辺方向には、それぞれ左側耳片１１（５０×１０５ｍｍ）と右側耳片１２（５０×１０５ｍｍ）を折り込み線を介して連設してあり、前記平面部２の左右両横辺方向には、それぞれ左側面上部７Ａ（６０×１１５ｍｍ）と右側面上部８Ａ（６０×１１５ｍｍ）を折り込み線を介して連設してあり、前記背面部３の左右両横辺方向には、それぞれ左側耳片１３（５０×１０５ｍｍ）と右側耳片１４（５０×１０５ｍｍ）を折り込み線を介して連設してあり、前記底面部４の左右両横辺方向には、それぞれ左側面下部７Ｂ（６０×１１５ｍｍ）と右側面下部８Ｂ（６０×１１５ｍｍ）を折り込み線を介して連設してあり、更に前記底面部４の左側面下部７Ｂと右側面下部８Ｂの先端部にはそれぞれ粘着部１１、１２（５×１１５ｍｍ）が形成されていると共に、当該底面部４の先端側たて辺方向にはたてたて粘着部１３（２４５×１５ｍｍ）を折り込み線を介して連設するように構成されているのである。
前述したように、この展開図の特徴は、左右両側面７、８が上部７ａ、８ａと下部７ｂ、８ｂに分かれていて、後からシート類１６を挿入収納できるように構成した点にある。
【００３８】
本発明は、このように構成されている直方体の紙質箱体１７の展開図に、次のような細工をしたものである。
【実施例２】
【００３９】
まず、図５に示した実施例について説明する。これは、第３発明の展開図であり、紙質箱体１７の立体角隅部を正三角錐状に切除できる切り離し線１４を得ることが出来るものである。
【００４０】
正面部１と背面部３と左右両側面下部７ｂ、８ｂの４面には、それらと底面部４とが交わる辺から設計上予定された底上げ高の１／２の高さ位置に底上げ用折り込み線１５を設けてある。例えば上記のように紙質箱体の高さを１０５ｍｍに特定した場合、設計上予定する底上げ高を５０ｍｍとすると、底上げ用折り込み線１５の高さ位置は、２５ｍｍということになる。
【００４１】
次に、底面部４の角隅にある４つの頂点１９のうち、背面部３と隣接する２頂点１９を中心にして、正面部１との左側耳片部５又は右側耳片部６との２面には、たて、横、高さの辺が対角線となる正方形の切り離し線１４を設けるが、当該正方形はその対角線の中心から正方形の頂点１９までの長さが前記底上げ用折り込み線１５の高さ（２５ｍｍ）に等しい正方形の切り離し線１４を設ける。
【００４２】
更に、底面部４の角隅にある４つの頂点１９のうち、たて粘着部１３と隣接する２頂点１９を中心にして、底面部４と左側面下部７ｂまたは右側面下部８ｂと、たて粘着部１３との３面に、たて、横、高さの辺が対角線となる正方形であって、その対角線の中心４から正方形頂点１９までの長さが前記底上げ用折り込み線１５の高さに等しい正方形の一部対応形の切り離し線１４ａを設ける。
【００４３】
更に、正面部１と左側耳片部５または右側耳片部６との２面には、正面部１の下辺と左右両横辺方向の折り込み線とを対角線とし、正面部１の底上げ用折り込み線１５と左右両横辺方向の折り込み線との交点を正方形の頂点とする正方形を描いた際に対応するＶ字状２辺を切り離し線１４ｂとして設ける。
【００４４】
以上のように、底上げ用折り込み線１５と前記３種類の切り離し線１４、１４ａ、１４ｂとを設けたことを特徴とする底上げ可能なシート用収納箱の展開図である。
【実施例３】
【００４５】
図６に示した実施例３について説明する。これは、第４発明の展開図であり、紙質箱体１７の立体角隅部を錐体状に切除できる切り離し線１４を得ることが出来るものである。当該錐体状というのは三角錐の各面における下辺が円弧状になっているものである。なお、直方体の紙質箱体１７は、共通のものであり、その展開図は実施例として既に具体的に説明しているので、ここでの説明は省略する。
【００４６】
本発明は、直方体の紙質箱体１７の展開図において、まず、正面部１と背面部３と左側面下部７ｂと右側面下部８ｂの４面には、それらと底面部４とが交わる辺から設計上予定された底上げ高の１／２の高さ位置に底上げ用折り込み線１５を設ける。
【００４７】
次に、底面部４の角隅にある４つの頂点１９のうち、背面部３と隣接する２頂点１９を中心にして、正面部１と背面部３と左側面下部７ｂまたは右側面下部８ｂの４面には、底面部４の当該２つの頂点１９を中心に半径が前記底上げ用折り込み線１５の高さと等しい円形の切り離し線１４を設け、更に、底面部４の角隅にある４つの頂点１９のうち、たて粘着部１３と隣接する２頂点１９を中心にして、底面部４と左側面下部７ｂまたは右側面下部８ｂと、たて粘着部１３の３面には、当該頂点１９を中心に半径が前記底上げ用折り込み線１５の高さと等しい円形の一部対応形の切り離し線１４ｂを設け、更に、正面部１と左側耳片部５または右側耳片部６との２面には、正面部１の下辺と左右両横辺方向の折り込み線との交点を中心にして、半径が前記底上げ用折り込み線１５の高さと等しい円形の円周となる半円形状の切り離し線１４ｂを設ける。
【００４８】
以上のように第４発明は、直方体の紙質箱体１７に底上げ用折り込み線１５と前記３種類の切り離し線１４、１４ａ、１４ｂとを設けたことを特徴とする底上げ可能なシート用収納箱の展開図である。
【実施例４】
【００４９】
次に第３発明の実施例について具体的に説明する。この発明は、立体角隅部分に折り込み線３０ａおよび／または切り込み線３０ｂからなる反転用補助線３０を設けて、立体角隅部分を切除するのではなく、手作業により切り込み操作や折り込み操作をするだけで当該立体角隅部分を押し込み反転し易い状態にして、予定された底上げ高まで底上げする方式のものである。
【００５０】
第３発明の実施例は、正面部１、背面部３、左側面部７、右側面部８、平面部２、底面部４のすべての面が長方形あるいは長方形と正方形で構成される六面体で、隣接する面がほぼ直角に交わる直方体の紙質箱体１７であって、その平面部２にシート取出し口１８が形成されてなるシート用収納箱において、正面部１と背面部３と左右両側面部７、８の４面には、それらと底面部４とが交わる各辺から設計上予定された底上げ高の１／２の高さ位置に底上げ用折り込み線１５を設けるとともに、底面部４の角隅で、たて、横、高さの辺が交わる４つの頂点１９からなる立体角隅部分に、前記底上げ用折り込み線１５の高さ位置まで立体角隅部分を容易に押し込み反転できるようにする折り込み線３０ａおよび／または切り込み線３０ｂからなる反転用補助線３０を設けたことを特徴とする底上げ可能なシート用収納箱である。
【００５１】
当該第３発明は、当該直方体の紙質箱体１７に底上げ用折り込み線１５を設けるとともに、底面部４の各隅にある４つの頂点１９のある立体角隅部分に、前記底上げ用折り込み線１５の高さ位置まで立体角隅部分を容易に押し込み反転できるようにする折り込み線３０ａおよび／または切り込み線３０ｂからなる反転用補助線３０を設けたことを特徴とするものである。
【００５２】
当該反転用補助線３０は、具体的には、例えば図９乃至図１２に示したように様々な態様が考えられる。その構成は、立体角隅部分を容易に押し込み反転できるように設計されたものであれば、当該反転用補助線３０は、折り込み線だけで構成されていてもよいし、切り込み線だけで構成されていても良いし、折り込み線と切り込み線の組み合わせ構成であっても良い。以下、反転用補助線３０の具体的な図示実施例を詳細に説明する。
【００５３】
図９（イ）に示した反転用補助線３０は、立体角隅部分の正面部１または背面部３と左側面下部７ｂまたは右側面下部８ｂとの交わる高さ辺ｚの両側へ所定の幅離れた位置に、底上げ用折り込み線１５から底面部４と交わるたて辺ｘ、横辺ｙまでの高さ方向への左右両側の切り込み線３０ｂ、３０ｂが設けられていると共に、当該切り込み線３０ｂ，３０ｂに連続して底面部４と交わるたて辺ｘと横辺ｙへの底辺方向への切り込み線３０ｂを設けるようにする。このように当該反転用補助線３０は、矩形状の高さ方向への左右両側の切り込み線３０ｂ，３０ｂと、たて辺ｘと横辺ｙへの底辺切り込み線３０ｂとなし、上辺を折り込み線３０ａに構成してある。そのうえで当該切り込み線３０ｂ，３０ｂ，３０ｂの部分を切り離して矩形状の舌片３０ｃを加工形成したうえ、図９（ロ）に示すように当該矩形状の舌片３０ｃを折り込み線３０ａに沿って上方内側に折込んで矩形状の穴を開け、立体角隅部分の隣接する面がほぼ直角に交わる構造を壊すことにより、反転しにくいという技術的課題を解消したものである。その後は底面部４は容易に押し込むことができるので、底上げ状態にすることができる。
【００５４】
図１０（イ）に示した反転用補助線３０は、立体角隅部分の正面部１または背面部３と左側面下部７ｂまたは右側面下部８ｂとの交わる高さ辺ｚの両側へ所定の幅離れた位置から頂点１９まで切り込み線３０ｂ、３０ｂが設けられている。このように当該反転用補助線３０は、三角形状の左右側辺を切り込み線３０ｂ，３０ｂとなし、上辺を折り込み線３０ａに構成してあるので、その切り込み線３０ｂ，３０ｂの部分を切り離して三角形状の舌片３０ｄを加工形成したうえ、図１０（ロ）に示すように当該三角形状の舌片３０ｄを折り込み線３０ａに沿って上方内側に折込んで穴を開け、立体角隅部分の隣接する面がほぼ直角に交わる構造を壊すことにより、反転しにくいという技術的課題を解消したものである。
【００５５】
図１１（イ）に示した反転用補助線３０は、立体角隅部分の正面部１または背面部３と左側面下部７ｂまたは右側面下部８ｂとの交わる高さ辺ｚへの切り込み線３０ｂと、その辺の両側へ所定の幅離れた位置から頂点１９までへの切り込み線３０ｂ，３０ｂと３本設けられている。このように当該反転用補助線３０は、頂点１９から放射状に延びた３本の切り込み線３０ｂと上辺の折り込み線３０ａとで２個の三角形が構成されている。その切り込み線３０ｂ，３０ｂ，３０ｂの部分を切り離して２個の三角形状の舌片３０ｅ，３０ｅを加工形成したうえ、図１１（ロ）に示すように当該三角形状の舌片３０ｅ，３０ｅを折り込み線３０ａ，３０ａに沿って左右両上方の内側に折込んで菱形状の穴を開け、立体角隅部分の隣接する面がほぼ直角に交わる構造を壊すことにより、反転しにくいという技術的課題を解消したものである。
【００５６】
図１２（イ）に示した反転用補助線３０は、底面部４の４角隅にある頂点１９から隣接する面がほぼ直角に交わるたて辺ｘ、横辺ｙ、高さ辺ｚに、所定の長さの切り込み線３０ｂ，３０ｂ，３０ｂを設け、その高さ辺ｚの上端からたて辺ｘと横辺ｙの端部を結ぶ折り込み線３０ａ，３０ａを設け、２個の三角形状が構成されている。その切り込み線３０ｂ，３０ｂ，３０ｂの舌片３０ｆ，３０ｆを加工形成したうえ、図１２（ロ）に示すように当該三角形状の舌片３０ｆ，３０ｆを折り込み線３０ａ，３０ａに沿って左右両上方の内側に折込んで菱形状の穴を開け、立体角隅部分の隣接する面がほぼ直角に交わる構造を壊すことにより、反転しにくいという技術的課題を解消したものである。
【実施例５】
【００５７】
図６は、実施例５について説明する。これは、第５発明の展開図であり、前述した共通する直方体の紙質箱体１７に底上げ用折り込み線１５を設けるとともに、当該紙質箱体１７の立体角隅部を任意寸法の三角錐状に切除できる切り離し線１４を得ることが出来るものである。なお、当該直方体の紙質箱体１７は、共通のものであり、その展開図は既に具体的に説明しているのでここでの説明は省略する。
【００５８】
第１に、直方体の紙質箱体１７の展開図において、正面部１と背面部３と左側面下部７ｂと右側面下部８ｂの４面に、それらと底面部４とが交わる辺から設計上予定された底上げ高の１／２の高さ位置に底上げ用折り込み線１５を設ける。
【００５９】
第２に、紙質箱体１７の立体角隅部を任意の三角錐体状に切除できる切り離し線１４は、次のようにして特定することができる。基本的には、底面部４の４つの角隅に、頂点１９部を直角とする任意寸法の直角三角を切り離す部分として特定すると、これによって自動的に頂点１９を中心にして構成される残りの３面の直角三角形が特定されることになる。その原理について、図７と図８に基づいて説明する。
【００６０】
まず、底面部４の角隅にある４つの頂点１９のうち、背面部３と隣接する２頂点１９を中心にして、底面部４には、たて辺ｘと横の辺Ｙと底面斜辺ＦＲとで２つの底面直角三角形２２、２２を作る。このたて辺ｘと横の辺Ｙの長さについては、任意の長さ寸法を選定することにより底面斜辺ＦＲが決まるが、この底面直角三角形２２、２２が基準となる。
【００６１】
次に、背面部３には前記たて辺ｘと底上げ用折り込み線１５の高さｚと同じ長さの高さ辺ｚと背面斜辺ｂｒとで背面直角三角形２３、２３を作る。
次に、左側面下部７ｂと右側面下部８ｂには前記横の辺ｙと底上げ用折り込み線１５の高さＺと同じ長さの高さ辺ｚと側面斜辺ｄｒとで側面直角三角形２４、２４を作る。
【００６２】
更に、背面部３の左側耳片部９と左側耳片部１０には背面部３の高さ辺ｚと底面部４の横の辺Ｙと同じ長さの耳片の辺Ｙと耳片斜辺ｇｒとで耳片直角三角形２５、２５を作る。
これらの４つの直角三角形を組み合わせたとき出来る多角形２６、２６の各斜辺（ｄｒ、ｆｒ、ｂｒ、ｇｒ）を連結した形状に切り離し線１４を設ける。
【００６３】
なお、前記側面直角三角形２４と耳片直角三角形２５とは、同一形状の直角三角形であり、それが頂点１９を中心として９０度回転したものである。当該側面直角三角形２４と耳片直角三角形２５とは、展開図を紙質箱体１７に組み立てたとき、重なり合う構成になるからである。
【００６４】
第３に、底面部４の角隅にある４つの頂点１９のうち、たて粘着部１３と隣接する２頂点１９を中心にして、底面部４には、たて辺ｘと横の辺ｙと底面斜辺ｆｒとで２つの底面直角三角形２２、２２を作る。
次に、左側面下部７ｂと右側面下部８ｂには前記横の辺ｙと底上げ用折り込み線１５の高さと同じ長さの高さ辺ｚと側面斜辺ＤＲとで側面直角三角形２４、２４を作る。
【００６５】
次に、粘着部１３には、前記たて辺ｘと底上げ用折り込み線１５の高さと同じ長さの仮想高さ辺ｚと仮想粘着斜辺ｇｒとで仮想粘着直角三角形を作ったときの一部対応形２７、２７を作る。これら２つの直角三角形２２、２４と一部対応形２７とを組み合わせたとき出来る多角形の各斜辺（ｆｒ、ｃｒ、ｇｒ）と（ｆｒ、ｄｒ、ｇｒ）を組み合わせた形状に切り離し線１４ａを設ける。
【００６６】
第４に、正面部１には前記背面直角三角形２３、２３と対称の正面直角三角形２８、２８を作り、正面部１の左側耳片部５と右側耳片部６には、背面部３の耳片直角三角形２５、２５と対称の正面部１の耳片直角三角形２９、２９をつくり、両者を組み合わせたときできる三角形の各斜辺を組み合わせたＶ字状（ｂｒ−ｄｙ）の切り離し線１４ｂを設ける。
【００６７】
以上のように、第５発明は、底上げ用折り込み線１５と前記３種類の切り離し線１４、１４ａ、１４ｂとを設けたことを特徴とする底上げ可能なシート用収納箱の展開図である。
【図面の簡単な説明】
【００６８】
【図１】本願発明に係る底上げ可能なシート用収納箱を示す斜視図である。
【図２】底上げ可能なシート用収納箱に底上げ用折り込み線１５と切り離し線１４を施した状態を示す斜視図である。
【図３】底上げ可能なシート用収納箱を裏返して底面部とその周辺を底上げ用折り込み線１５に沿って山折から谷折に反転するように変えながら当該底面部を紙質箱体内に押し込んで上げ底状態にすることを示す斜視図である。
【図４】底上げ可能なシート用収納箱の高さを低く変化させ、且つ底上げした状態に変形させた姿を示す斜視図である。
【図５】本願発明に係る底上げ可能なシート用収納箱の一実施例を示す展開図である。
【図６】本願発明に係る底上げ可能なシート用収納箱の他実施例を示す展開図である。
【図７】本願発明に係る底上げ可能なシート用収納箱の他実施例を示す展開図である。
【図８】図７に示す実施例の切り離し線を示す要部拡大の展開図である。
【図９】本願発明に係る底上げ可能なシート用収納箱に設けた反転用補助線の一実施例であり、その（イ）は、シート用収納箱に反転用補助線３０を施した状態を示す要部説明図であり、（ロ）は、当該反転用補助線３０を予備加工した状態を示す要部説明図である。
【図１０】は、本願発明に係る底上げ可能なシート用収納箱に設けた反転用補助線３０の他実施例であり、その（イ）は、シート用収納箱に反転用補助線３０を施した状態を示す要部説明図であり、（ロ）は、当該反転用補助線３０を予備加工した状態を示す要部説明図である。
【図１１】は、本願発明に係る底上げ可能なシート用収納箱に設けた反転用補助線３０の他実施例であり、その（イ）は、シート用収納箱に反転用補助線３０を施した状態を示す要部説明図であり、（ロ）は、当該反転用補助線３０を予備加工した状態を示す要部説明図である。
【図１２】は、本願発明に係る底上げ可能なシート用収納箱に設けた反転用補助線３０の他実施例であり、その（イ）は、シート用収納箱に反転用補助線３０を施した状態を示す要部説明図であり、（ロ）は、当該反転用補助線３０を予備加工した状態を示す要部説明図である。
【符号の説明】
【００６９】
１：正面部
２：平面部
３：背面部
４：底面部
５：左側耳片部
６：右側耳片部
７：左側面部
８：右側面部
７ａ：左側面上部
８ａ：右側面上部
７ｂ：左側面下部
８ｂ：右側面下部
９：左側耳片部
１０：右側耳片部
１１：粘着部
１２：粘着部
１３：たて粘着部
１４：切り離し線
１４ａ：切り離し線
１４ｂ：切り離し線
１５：底上げ用折り込み線
１６：シート類
１７：紙質箱体
１８：シート取出し口
１９：頂点
２２：底面直角三角形
２３：背面直角三角形
２４：側面直角三角形
２５：耳片直角三角形
２６：多角形
２７：一部対応形
２８：正面直角三角形
２９：耳片直角三角形
３０：反転補助線
３０ａ：折り込み線
３０ｂ：切り込み線
３０ｃ：矩形状の舌片
３０ｄ：三角形状の舌片
３０ｅ：三角形状の舌片
３０ｆ：三角形状の舌片
【図１】
0005612559.tif 000002
【図２】
0005612559.tif 000003
【図３】
0005612559.tif 000004
【図４】
0005612559.tif 000005
【図５】
0005612559.tif 000006
【図６】
0005612559.tif 000007
【図７】
0005612559.tif 000008
【図８】
0005612559.tif 000009
【図９】
0005612559.tif 000010
【図１０】
0005612559.tif 000011
【図１１】
0005612559.tif 000012
【図１２】
0005612559.tif 000013